(57)【要約】【課題】ロータリースイッチの操作性等を格段に向上させることができるロータリースイッチユニットを提供する。【解決手段】ケース２の内部に収納されたロータリースイッチ１０と、ロータリースイッチ１０に取り付けられる変換つまみ２０と、ケース２の正面を覆う化粧カバー３０と、を備えるロータリースイッチユニット１である。変換つまみ２０は、本体部２１と、本体部２１から正面側に突出した正面視円形状の円板型突出部２２と、円板型突出部２２の正面に形成された操作用凹部２３と、本体部２１の裏面側に形成されロータリースイッチ１０の凹部１１に嵌合する凸部２４と、を有している。化粧カバー３０は、変換つまみ２０の円板型突出部２２の外径と略同一の径を有する円形孔３１を有しており、円形孔３１の周囲には、ロータリースイッチ１０の操作状態に関連する特定の文字が表示されている。【選択図】図３
2013131376.tif 000002
【特許請求の範囲】
【請求項１】
所定のケースの内部に収納されたロータリースイッチと、前記ロータリースイッチに取り付けられる変換つまみと、前記ケースの正面を覆う化粧カバーと、を備えるロータリースイッチユニットであって、
前記ロータリースイッチの正面には、凹部が形成されており、
前記変換つまみは、本体部と、前記本体部から正面側に突出した正面視円形状の円板型突出部と、前記円板型突出部の正面に形成された操作用凹部と、前記本体部の裏面側に形成され前記ロータリースイッチの前記凹部に嵌合する凸部と、を有しており、
前記化粧カバーは、前記変換つまみの前記円板型突出部の外径と略同一の径を有する円形孔を有している、
ロータリースイッチユニット。
【請求項２】
前記化粧カバーの前記円形孔の周囲には、前記ロータリースイッチの操作状態に関連する特定の文字が表示されている、
請求項１に記載のロータリースイッチユニット。
【請求項３】
前記化粧カバーの前記円形孔の周囲には、前記特定の文字が直接印刷されている、
請求項２に記載のロータリースイッチユニット。
【請求項４】
前記化粧カバーの前記円形孔の周囲には、前記特定の文字が印刷された所定のシールが貼付されている、
請求項２に記載のロータリースイッチユニット。
【発明の詳細な説明】
【技術分野】
【０００１】
本発明は、ロータリースイッチユニットに関する。
【背景技術】
【０００２】
現在、冷凍装置や空調装置等の各種装置の作動音度を設定する際に、ロータリースイッチが使用されている（例えば、特許文献１参照）。図６（Ａ）〜（Ｃ）に示すように、従来のロータリースイッチ１００は、所定のケース２００に収納された基板３００に取り付けられることから、ロータリースイッチ１００自身もケース２００の内部に収納され、その正面部分１１０のみがケース２００の正面開口部２１０から露出した状態で使用に供されていた。
【先行技術文献】
【特許文献】
【０００３】
【特許文献１】特開２０００−２９５５４号公報
【発明の概要】
【発明が解決しようとする課題】
【０００４】
ところが、近年においては、基板３００実装上の制約やケース２００の構造上の制約等により、図７に示すようにロータリースイッチ１００がケースの奥まったところに配置される場合がある。かかる場合には、ロータリースイッチ１００の操作性が著しく低下してしまうという問題がある。
【０００５】
また、ロータリースイッチ１００の正面部分１１０には、通常、スイッチのオン・オフや操作量に関連する文字が印字されているが、ロータリースイッチ１００がケース２００の奥まった位置にあると、このような文字を視認するのが困難となるという問題があった。
【０００６】
さらに、市販のロータリースイッチ１００を採用する場合には、ロータリースイッチ１００自体のデザイン（色、形状等）やロータリースイッチ１００の正面部分１１０に印字された文字のデザイン（大きさ、書体、色等）が、ケース２００を含む製品全体のデザインと調和しないことがある。このような場合には、製品全体の美観が損なわれてしまうという問題がある。
【０００７】
本発明は、かかる状況に鑑みてなされたものであり、ロータリースイッチの操作性等を格段に向上させることができるロータリースイッチユニットを提供することを目的とする。
【課題を解決するための手段】
【０００８】
本発明に係るロータリースイッチユニットは、所定のケースの内部に収納されたロータリースイッチと、このロータリースイッチに取り付けられる変換つまみと、ケースの正面を覆う化粧カバーと、を備えるものである。ロータリースイッチの正面には、凹部が形成されている。変換つまみは、本体部と、この本体部から正面側に突出した正面視円形状の円板型突出部と、この円板型突出部の正面に形成された操作用凹部と、本体部の裏面側に形成されロータリースイッチの凹部に嵌合する凸部と、を有している。そして、化粧カバーは、変換つまみの円板型突出部の外径と略同一の径を有する円形孔を有している。
【０００９】
かかる構成を採用すると、ケース内部のロータリースイッチの正面に設けられた凹部に、変換つまみの本体部の裏面側に形成された凸部を嵌合させることにより、ロータリースイッチに変換つまみを容易に取り付けることができる。そして、変換つまみの円板型突出部を、化粧カバーの円形孔を介して正面に露出させることができる。このため、使用者は、変換つまみの円板型突出部の正面に形成された操作用凹部を用いて変換つまみを操作することにより、ロータリースイッチを間接的に操作することができる。従って、ケース内部の奥まった位置にあるロータリースイッチを、変換つまみを介して容易に操作することができることとなるため、ロータリースイッチの操作性を格段に向上させることができる。
【００１０】
本発明に係るロータリースイッチユニットにおいて、化粧カバーの円形孔の周囲に、ロータリースイッチの操作状態に関連する特定の文字を表示することが好ましい。この際、化粧カバーの円形孔の周囲に特定の文字を直接印刷することにより表示することができる。また、化粧カバーの円形孔の周囲に特定の文字が印刷されたシールを貼付することにより表示してもよい。
【００１１】
かかる構成を採用すると、ロータリースイッチの操作状態に関連する特定の文字（例えば、スイッチのオン・オフを表す文字や、スイッチの操作量を表す数字等）が、化粧カバーの円形孔の周囲に表示されているので、ケース内の奥まった位置にあるロータリースイッチに印刷された文字を視認する場合と比較して、文字の視認性を格段に向上させることができる。また、ケースを含む製品全体のデザインと調和するように、化粧カバーに印刷する文字のデザイン（大きさ、書体、色等）を適宜変更することができる。従って、本ユニットが適用される製品全体の美観を向上させることができる。
【発明の効果】
【００１２】
本発明によれば、ロータリースイッチの操作性等を格段に向上させることができるロータリースイッチユニットを提供することが可能となる。
【図面の簡単な説明】
【００１３】
【図１】本発明の実施形態に係るロータリースイッチユニットが適用される製品を示すものであり、（Ａ）は正面図、（Ｂ）は側面図である。
【図２】図１（Ａ）のII-II部分の断面図である。
【図３】図２のIII部分の拡大図である。
【図４】本発明の実施形態に係るロータリースイッチユニットを構成する変換つまみを示すものであり、（Ａ）は正面図、（Ｂ）は上面図、（Ｃ）は側面図である。
【図５】本発明の実施形態に係るロータリースイッチユニットを構成する化粧シートの一部分（図１（Ａ）のV部分）の拡大図である。
【図６】（Ａ）は従来のロータリースイッチが搭載された製品の正面図、（Ｂ）は（Ａ）に示す製品の側面図、（Ｃ）は（Ａ）のVIC-VIC部分の断面図である。
【図７】従来のロータリースイッチ搭載構造を説明するための断面図である。
【発明を実施するための形態】
【００１４】
以下、本発明の実施形態について、図面を参照しながら詳細に説明する。
【００１５】
本実施形態に係るロータリースイッチユニット１は、図１〜図５に示すように、所定の製品のケース２の内部に収納されるロータリースイッチ１０と、ロータリースイッチ１０に取り付けられる変換つまみ２０と、ケース２の正面を覆う化粧カバー３０と、を備えている。
【００１６】
ロータリースイッチ１０は、図２及び図３に示すように、ケース２の内部に収納される基板３に取り付けられており、その正面には凹部１１が形成されている。ロータリースイッチ１０の凹部１１は、従来と同様に操作用の凹部としても機能するが、本実施形態においては、変換つまみ２０の（後述する）凸部２４を嵌合させるように機能するものである。
【００１７】
変換つまみ２０は、図４に示すように、２つの径の異なる円板部２１ａ・２１ｂが同心円状に重ねられて構成された本体部２１を有している。本体部２１を構成する大径の円板部２１ａはケース２の正面側に配置され、小径の円板部２１ｂは大径の円板部２１ａの裏面側に配置される。変換つまみ２０の本体部２１は、ケース２の正面に設けられた凹部２ａに収納された状態で、ケース２と化粧カバー３０との間に挟み込まれて固定されるようになっている。
【００１８】
また、変換つまみ２０は、本体部２１から正面側に突出した正面視円形状の円板型突出部２２を有している。変換つまみ２０の円板型突出部２２は、化粧カバー３０の（後述する）円形孔３１から外部に露出する部分であり、その正面には、正面視矢印形状の操作用凹部２３が形成されている。使用者は、操作用凹部２３を用いて変換つまみ２０を操作することができる。
【００１９】
さらに、変換つまみ２０は、本体部２１の裏面側に形成されロータリースイッチ１０の凹部１１に嵌合する凸部２４を有している。変換つまみ２０の凸部２４の平面形状は、ロータリースイッチ１０の凹部１１の平面形状に一致するようになっている。
【００２０】
化粧カバー３０は、図１〜図３に示すように、変換つまみ２０の円板型突出部２２の外径と略同一の径を有する円形孔３１を有しており、この円形孔３１から変換つまみ２０の円板型突出部２２（及び操作用凹部２３）を外部に露出させることができるようになっている。
【００２１】
また、化粧カバー３０の円形孔３１の周囲には、ロータリースイッチ１０の操作状態に関連する特定の文字が表示されている。具体的には、図５に示すように、化粧カバー３０の円形孔３１の周囲に、ロータリースイッチ１０の操作量を表す数字（０、１、２、……、９）及びアルファベット（Ａ、Ｂ、Ｃ、……、Ｆ）が直接印刷されて表示されるようになっている。
【００２２】
以上説明した実施形態に係るロータリースイッチユニット１においては、ケース２内部のロータリースイッチ１０の正面に設けられた凹部１１に、変換つまみ２０の本体部２１の裏面側に形成された凸部２４を嵌合させることにより、ロータリースイッチ１０に変換つまみ２０を容易に取り付けることができる。そして、変換つまみ２０の円板型突出部２２を、化粧カバー３０の円形孔３１を介して正面に露出させることができる。このため、使用者は、変換つまみ２０の円板型突出部２２の正面に形成された操作用凹部２３を用いて変換つまみ２０を操作することにより、ロータリースイッチ１０を間接的に操作することができる。従って、ケース２内部の奥まった位置にあるロータリースイッチ１０を、変換つまみ２０を介して容易に操作することができることとなるため、ロータリースイッチ１０の操作性を格段に向上させることができる。
【００２３】
また、以上説明した実施形態に係るロータリースイッチユニット１においては、ロータリースイッチ１０の操作状態に関連する特定の文字が、化粧カバー３０の円形孔３１の周囲に表示されているので、ケース２内の奥まった位置にあるロータリースイッチに１０に印刷された文字を視認する場合と比較して、文字の視認性を格段に向上させることができる。また、ケース２を含む製品全体のデザインと調和するように、化粧カバー３０に印刷する文字のデザイン（大きさ、書体、色等）を適宜変更することができる。従って、本ユニット１が適用される製品全体の美観を向上させることができる。
【００２４】
なお、以上の実施形態においては、化粧カバー３０の円形孔３１の周囲に特定の文字（数字やアルファベット）を直接印刷した例を示したが、特定の文字が印刷された所定のシールを用意しておき、このシールを化粧カバー３０の円形孔３１の周囲に貼付してもよい。また、化粧カバー３０の円形孔３１の周囲に表示する特定の文字として、「入」、「切」、「ＯＮ」、「ＯＦＦ」等のスイッチのオン・オフ状態を表す漢字や英字を採用することもできる。
【００２５】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００２６】
１…ロータリースイッチユニット
２…ケース
１０…ロータリースイッチ
１１…凹部
２０…変換つまみ
２１…本体部
２２…円板型突出部
２３…操作用凹部
２４…凸部
３０…化粧カバー
３１…円形孔
【図１】
2013131376.tif 000003
【図２】
2013131376.tif 000004
【図３】
2013131376.tif 000005
【図４】
2013131376.tif 000006
【図５】
2013131376.tif 000007
【図６】
2013131376.tif 000008
【図７】
2013131376.tif 000009